(57)【要約】【課題】光学エンジンハウジングを効率よく冷却することが可能なプロジェクタを提供することを目的とする。【課題手段】光源６０と、光源６０からの光を少なくともＲ、Ｇ、Ｂの光に分離するカラーホイール７０と、カラーホイール７０によって分離された光を入射する光学ハウジング１１０と、光学ハウジング１１０に接続された光誘導部材２００とを有する。光学ハウジング１１０は、実質的に密閉された内部空間を形成し、その内部空間内に、角度を２方向に変化可能なミラーをアレイ状に配置したＤＭＤ５０と、ミラーが第１の角度にあるときにミラーによって反射された光を入射しこれを投影する投影レンズ１５０と、カラーホイール８０からの光を入射するコンデンサレンズ１３０とを含む。光誘導部材２００は、ミラーが第２の角度にあるときにミラーによって反射された光を入射しこれを外部へ誘導する。【選択図】  図２
2004212727.tif 000002
【特許請求の範囲】
【請求項１】
ミラーの角度を２方向に変化させる画素子と、ミラーが一方の角度にあるときにミラーによって反射された光を投影する投影部材とを含む光学ハウジングと、
ミラーが他方の角度にあるときにミラーによって反射された光を前記光学ハウジングの外に誘導する光誘導手段とを有し、
前記光学ハウジングの前記投影部材を介して投影画像を形成させる、プロジェクタ。
【請求項２】
前記プロジェクタはさらに、前記光誘導手段によって誘導された光を熱に変換する変換部を含む、請求項１に記載のプロジェクタ。
【請求項３】
前記プロジェクタはさらに、前記変換部を冷却する冷却装置を含む、請求項２に記載のプロジェクタ。
【請求項４】
前記光誘導手段は、光ファイバーを含む、請求項１ないし３いずれかに記載のプロジェクタ。
【請求項５】
ミラーの角度を２方向に変化させる画素子と、ミラーが一方の角度にあるときにミラーによって反射された光を投影する投影部材とを含む光学ハウジングと、
ミラーが他方の角度にあるときにミラーの反射光によって照射される位置に熱的に結合され、前記照射された位置における熱を前記光学ハウジング外に伝導する熱伝導手段とを有し、
前記光学ハウジングの前記投影部材を介して投影画像を形成させる、プロジェクタ。
【請求項６】
前記熱伝導手段は、前記光学ハウジングに熱結合される結合部と前記結合部から延在する放熱部を有する、請求項５に記載のプロジェクタ。
【請求項７】
前記熱伝導手段は、前記結合部と前記放熱部との間に連結部を介在し、前記連結部内に流体が充填される、請求項６に記載のプロジェクタ。
【請求項８】
プロジェクタはさらに、前記放熱部を冷却する冷却装置を含む、請求項６または７に記載のプロジェクタ。
【請求項９】
プロジェクタはさらに、光源と、光源からの光を少なくともＲ、Ｇ、Ｂの光に分離する分離手段とを有し、前記分離手段によって分離された光は、前記光学ハウジング内に入射され、前記画素子を照射する、請求項１ないし８いずれかに記載のプロジェクタ。
【請求項１０】
光源と、
前記光源からの光を少なくともＲ、Ｇ、Ｂの光に分離する分離手段と、
前記分離手段によって分離された光を入射する光学ハウジングと、
前記光学ハウジングに接続された光誘導手段とを有し、
前記光学ハウジングは、実質的に密閉された内部空間を形成し、かつ前記内部空間内に、角度を２方向に変化可能なミラーをアレイ状に配置したミラー装置と、前記ミラーが第１の角度にあるときに前記ミラーによって反射された光を入射しこれを投影する投影レンズと、前記分離手段からの光を前記ミラー装置に入射させる光学部材とを含み、
前記光誘導手段は、前記ミラーが第２の角度にあるときに前記ミラーによって反射された光を入射しこれを外部へ誘導する、プロジェクタ。
【請求項１１】
前記光誘導手段は、前記光学ハウジングからの光を熱に変換する熱変換部を含み、前記熱変換部に放熱フィンが形成される、請求項１０に記載のプロジェクタ。
【請求項１２】
プロジェクタはさらに前記熱変換部を冷却するための冷却ファンを含む、請求項１１に記載のプロジェクタ。
【請求項１３】
前記光学ハウジングは、前記ミラーが第２の角度にあるときに前記ミラーによって反射された光が照射される位置に開口を含み、前記光誘導手段が前記開口内に接続される、請求項１０ないし１２いずれかに記載のプロジェクタ。
【請求項１４】
光源と、
前記光源からの光を少なくともＲ、Ｇ、Ｂの光に分離する分離手段と、
前記分離手段によって分離された光を入射する光学ハウジングと、
前記光学ハウジングに接続された熱誘導手段とを有し、
前記光学ハウジングは、実質的に密閉された内部空間を形成し、かつ前記内部空間内に、角度を２方向に変化可能なミラーをアレイ状に配置したミラー装置と、前記ミラーが第１の角度にあるときに前記ミラーによって反射された光を入射しこれを投影する投影レンズと、前記分離手段からの光を前記ミラー装置に入射させる光学部材とを含み、
前記熱誘導手段は、前記ミラーが第２の角度にあるときに前記ミラーによって反射された光が前記光学ハウジングを照射する照射位置に熱的に結合され、前記照射位置において生じる熱を前記光学ハウジングの外部へ誘導する、プロジェクタ。
【請求項１５】
前記光学ハウジングは、前記照射位置に光の反射を抑制する光吸収部を含む、請求項１４に記載のプロジェクタ。
【請求項１６】
前記光吸収部は、黒色顔料を含む、請求項１５に記載のプロジェクタ。
【発明の詳細な説明】
【０００１】
【発明の属する技術分野】
本発明は、プロジェクタに関し、特に、ＤＭＤ（Ｄｉｇｉｔａｌ  Ｍｉｒｒｏｒ  Ｄｅｖｉｃｅ）を用いたＤＬＰ（Ｄｉｇｉｔａｌ  Ｌｉｇｈｔ  Ｐｒｏｃｅｓｓｉｎｇ：ＤＬＰはテキサス・インスツルメンツ社の登録商標）方式のプロジェクタの光学エンジンハウジングの冷却に関する。
【０００２】
【従来の技術】
ＤＬＰ方式プロジェクタは、半導体素子からなるＤＭＤに光を照射し、その反射光をレンズ等で拡大投影して画像表示を行うものである。本出願人により先に出願された特許文献１の図１に示すように、光源からの光が回転楕円面鏡５２によって反射され、その反射光がＲ、Ｇ、Ｂのカラーフィルターを配列した円盤状のカラーホイール５３によってＲＧＢ光に順次分離され、そしてＤＭＤ５６に入射される。ＤＭＤ５６は、ＲＧＢ光に同期して時分割駆動され、画像データに従い入射光を反射させる。その反射光は投影レンズ５７を介してスクリーン５８上に投影される。このようなカラー映像表示は、一枚のカラーホイールを用いてカラー表示を行うことから、いわゆる単板式光学系とも呼ばれている。
【０００３】
【特許文献１】
特許第３、１２１、８４３号明細書
【０００４】
【発明が解決しようとする課題】
従来の単板ＤＭＤを用いてプロジェクタ用の光学エンジンハウジングを形成する場合、ＤＭＤや光学部材をチリやほこりから遮蔽するためにハウジングを密閉構造にする必要がある。ＤＭＤの特徴として、ミラーを±１０ないし１２度にスイッチング（オン／オフ）させ、オンの光のみを有効な光として取り出し、これを投影レンズに入射させスクリーン上に投影し、オフの光は光学エンジンハウジング内の所定位置に照射させている。プロジェクタの動作時間が長くなると、ハウジング内に照射されたオフの光により光学ハウジング内の温度が上昇し、これによりＤＭＤ素子の耐熱性に変化が生じたり、ハウジング内のプラスチック素材や光学部材が熱により変形等を生じるという課題があった。さらに、照射される光の強度は大きいため、これらの光がハウジング内で反射することで、投射映像のコントラストを低下させてしまうという弊害もあった。
【０００５】
他方、このような密閉構造を有する光学エンジンハウジング内部を効率よく冷却することが困難であった。例えば、ハウジングに開口を形成し、その開口にフィルターを取り付け、ファン等によりフィルターを介して内部を冷却しようとすると、フィルターに目詰まりが生じたり、ファンの騒音がうるさいという問題があった。
【０００６】
そこで本発明は上記従来の課題を解決し、光学エンジンハウジングを効率よく冷却することが可能なプロジェクタを提供することを目的とする。
さらに本発明は、低騒音でかつ鮮明な映像を投射可能なプロジェクタを提供することを目的とする。
【０００７】
【課題を解決するための手段】
本発明は、上記課題を解決するために、温度上昇の主原因であるＤＭＤから反射されたオフの光を光誘導体により冷却が行える場所に誘導し、そこで光の熱変換を行い冷却をする。第２の発明は、ＤＭＤから反射されたオフの光が照射される位置に熱伝導体を結合し、ハウジングで発熱された熱を熱伝導体により外部に熱伝導し、そこで冷却する。ハウジング内での反射を防止し、かつ効率よく熱を熱誘導体へ伝導させるために、光が照射される位置に光吸収部を設けることが望ましい。
【０００８】
請求項１に係るプロジェクタは、ミラーの角度を２方向に変化させる画素子およびミラーが一方の角度にあるときにミラーによって反射された光を投影する投影部材を含む光学ハウジングと、ミラーが他方の角度にあるときにミラーによって反射された光を前記光学ハウジングの外に誘導する光誘導手段とを有し、前記光学ハウジングの前記投影部材からの光により画像を投影させる。これによりミラーによって反射された不要な光を光学ハウジングの外に誘導することができ、光学ハウジングの温度上昇が抑制され、かつ投影画像のコントラストの低下を防止することができる。
【０００９】
好ましくは、プロジェクタはさらに、光誘導手段によって誘導された光を熱に変換する変換部を含む。さらにプロジェクタは、変換部を冷却する冷却装置を含み、変換部の放熱効率を向上させることができる。光誘導手段は、例えば、光ファイバー、ライトトンネル、内面鏡、面パイプ等を用いることができる。熱変換部は、光の受光面に例えば黒色顔料をコーティングし、光の吸収および熱変換を促進させることが望ましい。
【００１０】
請求項５に係るプロジェクタは、ミラーの角度を２方向に変化させる画素子およびミラーが一方の角度にあるときにミラーによって反射された光を投影する投影部材を含む光学ハウジングと、ミラーが他方の角度にあるときにミラーの反射光によって照射される位置に熱的に結合され、前記照射された位置における熱を前記光学ハウジング外に伝導する熱伝導手段とを有し、前記光学ハウジングの前記投影部材からの光により画像を投影させるものである。これによりミラーからの反射光により光学ハウジングが照射されても、そこで発生された熱を光学ハウジングの外に誘導若しくは伝導することができ、光学ハウジングの温度の上昇を抑制することができる。
【００１１】
好ましくは熱伝導手段は、前記光学ハウジングに熱結合される結合部と前記結合部から延在する放熱部を有する。結合部と放熱部との間に連結部を介在し、連結部内に流体を充填させることで、熱伝導効率を向上させることが可能である。さらに、光学ハウジングは、ミラーからの反射光の照射位置に光の反射を抑制する光吸収材を含むことが望ましい。光吸収材により光の反射を抑制し、光学ハウジング内の明るさを暗くすることで投射映像のコントラストを高めることができ、同時に光吸収材による光−熱変換効率を向上させることができる。
【００１２】
【発明の実施の形態】
以下、本発明の実施の形態について図面を参照して説明する。図１は、本発明の実施の形態に係るＤＬＰ方式プロジェクタの主要な構成を示すブロック図である。プロジェクタ１は、画像信号１１を入力し、これをＤＭＤと同じ画素数のＲＧＢデジタル画像データに変換する前処理部１０と、前処理部１０からのデジタル画像データに基づきＤＭＤ５０の駆動を制御するとともにランプ駆動回路３０及びカラーホイール駆動部４０等の制御を行う制御部２０とを有する。ランプ駆動回路３０は、光源６０の放電ランプの起動及び起動後の放電ランプのＡＣ駆動を制御する。カラーホイール駆動部４０は、カラーホイール８０を回転させ、光源６０からライトトンネル７０を介して入射された光をＲＧＢに分離させる。ＤＭＤ５０は、各画素に相当するミラーをアレイ状に配置させ、それらのミラーをスイッチングさせて入射光を反射させる。投射光学系１００は、ＤＭＤ５０からの反射光を拡大投射しスクリーン上に画像を表示させる。
【００１３】
図２に光学系システムの構成を示す。光源６０は、回転楕円面鏡６１とその光軸に取り付けられた放電ランプ６２とを含む。放電ランプ６２は、例えばキセノンアークショートランプ、メタルハライドランプ、あるいは超高圧水銀ランプなどが用いられる。回転楕円面鏡６１は、放電ランプ６２からの可視光を反射し赤外光を透過するようなダイクロックミラーやコールドミラーが用いられる。回転楕円面鏡６１の光軸上にロッド状のライトトンネル７０が配置される。ライトトンネル７０はその断面が矩形状であり、入射口から入射された光を内部で全反射を繰り返し、その出射口から均一な光強度を有する光線束を出射する。出射口のアスペクト比は、投射映像のアスペクト比を決定し、４：３または１６：９に設定される。
【００１４】
カラーホイール８０は、薄いガラス円盤状にＲ、Ｇ、Ｂのカラーフィルターを配列し、そこを透過する光の波長帯域を選択する。カラーホイール８０は、カラーホイール駆動部４０によって一定速度で回転され、ライトトンネル７０からの入射光を順次Ｒ、Ｇ、Ｂの波長帯域を有する光に分離する。
【００１５】
カラーホイール８０からのＲ、Ｇ、Ｂの光は、光学エンジンハウジング１１０に入射される。光学ハウジング１１０は、例えばアルミニウムあるいはマグネシウムのような金属材から構成される筐体であり、その内部に実質的に密閉された空間を形成する。
【００１６】
光学ハウジング１１０は、カラーホイール８０と対向する位置に配置される。カラーホイール８０と対向する第１の面１２０には、コンデンサレンズ１３０が取り付けられる。コンデンサレンズ１３０は、その光軸が回転楕円面鏡６１の光軸と一致するように、第１の面１２０に形成された開口内にはめ込むように取り付けられる。
【００１７】
第１の面１２０と対向する第２の面１２１には第１の反射鏡１４０が取り付けられる。第１の反射鏡１４０は、第２の面１２１に対して所定の角度を有するように取り付けられ、コンデンサレンズ１３０によって集光された光線束を入射しこれを所定の反射角で出射する。
【００１８】
第２の面１２１と隣接する第３の面１２２には、第２の反射鏡１４１がその面と所定の角度を有するように取り付けられる。第１の反射鏡１４０によって反射された光は、第２の反射鏡１４１に入射されそこで反射されてＤＭＤ５０に入射される。第３の面１２２にはさらに投影レンズ１５０が取り付けられる。
【００１９】
第３の面１２２と対向する第４の面１２３には、ＤＭＤ５０が取り付けられる。ＤＭＤ５０は、アレイ状に配置された複数のミラーを２方向（±１０ないし１２度）に変化させる。ＤＭＤ５０には、第２の反射鏡１４１からの反射光が所定の入射角で入射されその画素領域（各ミラーが配置された領域）が照射される。
【００２０】
ＤＭＤ５０の駆動は、制御部２０によって制御される。デジタル画像データの２値に応じてミラーが可変され、画像データがオン（例えば“１”）のとき、ミラーが第１の角度にあり、そのミラーによって反射された光は投影レンズ１５０に入射される。画等データがオフ（例えば“０”）のとき、ミラーが第２の角度にあり、そのミラーによって反射された光は第１の面１２０に照射され、映像の投影には採用されない。
【００２１】
本発明は、ＤＭＤ５０による投影に採用されないミラーの反射光による光学エンジンハウジング１１０の熱的な不具合を解消するものである。すなわち、ミラーが第２の角度にあるとき、その反射光は第１の面１２０に照射され、プロジェクタの動作時間が長くなると、その照射された部分の温度が非常に高温になり、結果として光学ハウジング１１０内の温度が上昇する。これにより、ＤＭＤ５０が熱により劣化したり、あるいはその他の光学部材である、第１、第２の反射鏡１４０、１４１、コンデンサレンズ１３０および投影レンズ１５０が熱により変形を受けたり、さらにはハウジング自身が熱膨張し光学系に誤差を生じさせてしまうおそれがある。
【００２２】
本実施の形態では、ＤＭＤ５０のミラーが第２の角度にあるときミラーによって反射された光を光学ハウジング１１０の外部に誘導する光誘導部材２００を有する。図３（ａ）に光誘導部材の構成を示す。光誘導部材２００は、コネクター部２１０と、コネクター部２１０に連結された光伝送部２２０と、光伝送部２２０の端部に接続された熱変換部２３０とを含む。コネクター部２１０は中空の円筒状を有し、これに光伝送部２２０が接続される。光伝送部２２０は、例えば、光ファイバー、ライトトンネル、内面鏡、あるいは面パイプ等を用いることができる。光伝送部２２０の内部の反射面は、好ましくは紫外線カット（吸収）しかつ遠赤外線に対して十分に反射率が高い物質が用いられ、あるいはそのような物質がコーティングされる。
【００２３】
熱変換部２３０は、光伝送部２２０からの光を熱に変換する。その放熱効率を良くするために、熱変化部２３０は例えばアルミニウムやマグネシウムのような金属から構成され、さらに光伝送部２２０との接続部位である受光面に黒体顔料等をコーティングし、光伝送部２２０から光を効率よく吸収し熱に変換させる。熱変換部２３０の外形には複数のフィン２３１が形成され、フィン２２１により放熱面積が増加され、その放熱特性が向上される。
【００２４】
図４（ａ）は、光誘導部材２００を光学ハウジング１１０に取り付けた状態を示す断面図である。光学ハウジング１１０の第１の面１２０において、ミラーが第２の角度にあるときミラーからの反射光１６０が照射される領域１７０に円形状の貫通孔１８０が形成される。貫通孔１８０内にコネクター部２１０が嵌合される。これとは別に、図４（ｂ）に示すように、貫通孔１８０とコネクター部２１０との間にゴム等のドーナツ形状の弾性部材１９０を介在させて密閉しても良い。こうすることで、ＤＭＤ５０のミラーからの反射光１６０、すなわち投影される映像に採用されない光は、光学ハウジング１１０の第１の面１２０に照射されることなく、光誘導部材２００によって外部に誘導され、光学ハウジング１１０の内部空間の温度上昇することが抑制され、結果的に光学ハウジング１１０が冷却されることとなる。さらに、ミラーからの反射光１６０が領域１７０において反射されず、光学ハウジング１１０内がオフの光（反射光１６０）によって明るく照らされることが抑制されるので、投影される映像のコントラストの低下を防止することができる。
【００２５】
コネクター部２１０に入射された光１６０は、図２に示すように光伝送部２２０により熱変換部２３０に誘導され、そこで熱に変換されて放熱される。熱変換部２３０をより急速にあるいはより効率よく冷却するために、冷却ファン２５０を用いることが可能である。冷却ファン２５０は、エアーの吸気あるいは排気を行うことで、放熱フィン２３１に空気流を与え、熱変換部２３０を効果的に冷却させる。冷却ファン２５０は、光源６０の冷却を行うものを併用しても良い。
【００２６】
本例では、光誘導部材２００に円形状のものを用いたが、勿論これ以外の形状のものを用いることができる。例えば、図３（ｂ）に示すような矩形状断面を有するロッド状の光伝送部２２０を用いても良い。また、図３（ｂ）、（ｃ）に示すように、コネクター部２１０と光伝送部２２０とを一体に形成したものであっても良い。さらに、光伝送部２２０は、その内部が空洞であっても良いし、あるいは所定の屈折率を有する媒体（コア）を充填するものであっても良い。
【００２７】
次に本発明の第２の実施の形態について説明する。第１の実施の態様では、光学ハウジング１１０を冷却するための光誘導部材２００を用いたが、第２の実施の態様では熱伝導部材もしくは熱誘導部材３００を用いて光学ハウジング１１０を冷却するものである。
【００２８】
図５（ａ）、（ｂ）に熱伝導部材３００の構成を示す。図５（ａ）において、熱伝導部材３００は、光学ハウジング１１０と熱的に結合される熱結合部３１０と、熱結合部３１０に接続された熱伝導部３２０と、熱伝導部３２０の端部に接続された放熱部３３０とを有する。熱伝導部３２０は、例えば熱伝導性の高い金属部材を用いることができる。放熱部３３０は好ましくは複数の放熱フィン３３１を有する。また、図５（ｂ）に示すように、熱結合部３１０と熱伝導部３２０とが一体形状であっても良い。
【００２９】
図６（ａ）、（ｂ）は熱伝導部材３００を光学ハウジング１１０に取り付けたときの断面図である。図６（ａ）に示すように、熱伝導部材３００の熱結合部３１０が光学ハウジング１１０に接続される。接続される位置は、ミラーが第２の角度にあるときにミラーからの反射光１６０が光学ハウジング１１０の第１の面１２０に照射される領域１７０に対向する位置である。照射される領域１７０には、ミラーからの反射光１６０が第１の面１２０から反射されるのを防止し、かつ反射光１６０を熱に効率よく変換させるための光吸収層３４０がコーティングされる。光吸収層３４０は、例えば黒色顔料等が用いられる。ミラーからの反射光１６０は、領域１７０において光吸収層３４０により吸収され、熱に変換され、この熱は熱伝導部材３００によって光学ハウジング１１０の外部へ伝導され、放熱部３３０において放熱される。これにより反射光１６０による光学ハウジング１１０の温度上昇が抑制される。なお、放熱部３３０を冷却ファン２５０により冷却してもよい。
【００３０】
熱伝導部材３００は、光学ハウジング１１０において発生した熱を効率よく放熱部に伝導させるために熱伝導部３２０内部に流体３５０を充填することもできる。
【００３１】
図６（ｂ）は、光学ハウジング１１０の第１の面１２０の領域１７０に、貫通孔１８０を形成し、貫通孔１８０内に熱結合部３１０を嵌合させた例を示す。貫通孔１８０内に挿入された熱結合部３１０の端面には、光吸収層３４０が直接的に結合されるため、光吸収層３４０において生じた熱が効率よく熱伝導部材３００に伝えられる。
【００３２】
このように本実施の形態によれば、ＤＭＤ５０およびその他の光学部材を収容する光学ハウジング１１０において生じる熱を効率よく外部に逃がすことにより、光学ハウジング１１０の内部空間を実質的に密閉状態に保持したままで、光学ハウジング１１０の温度上昇を抑制することができる。同時に、光学ハウジング内において不要な反射光１６０による照明を抑制することができる。このため、ＤＭＤ５０やその他の光学部材が熱的に劣化されるのを抑制し、かつ熱による膨張、ひずみによる光学特性のズレや誤差を抑制することができる。これにより、ＤＭＤ５０や光学部材の寿命を長期化させ、投影される映像の優れたコントラストを維持した高品位かつ鮮明な映像を提供することができる。
【００３３】
上記実施の態様は、ＤＬＰ方式のプロジェクタを例に説明したが、勿論、これ以外の液晶デバイスを用いたプロジェクタや、リア投射型のプロジェクタ等に広く適用することができる。
【００３４】
以上、本発明の好ましい実施の形態について詳述したが、本発明は係る特定の実施形態に限定されるものではなく、特許請求の範囲に記載された本発明の要旨の範囲内において、種々の変形・変更が可能である。
【００３５】
【発明の効果】
本発明によれば、内部に密閉空間を有する光学ハウジングにおいて発生される不要な反射光を、密閉状態を保持しながら外部に逃がすための光誘導部材を設けたことにより、光学ハウジングの温度上昇を抑制し、光学ハウジング内に収容される光学部材等の熱による劣化や光学精度の劣化を抑制することができる。さらに本発明によれば、内部に密閉空間を有する光学ハウジングにおいて発生される熱を、密閉状態を保持しながら外部に逃がすための熱伝導部材を設けたことにより、光学ハウジングの温度上昇を抑制することができる。
【図面の簡単な説明】
【図１】図１は本発明の実施の形態に係るプロジェクタの構成を示すブロック図である。
【図２】図２は本実施の形態に係るプロジェクタの光学システムを示す図である。
【図３】図３（ａ）ないし（ｃ）は光誘導部材の構成例を示す斜視図である。
【図４】図４（ａ）および（ｂ）は光誘導部材を光学ハウジングに取り付けたときの状態を示す断面図である。
【図５】図５（ａ）及び（ｂ）は熱伝導部材の構成を示す斜視図である。
【図６】図６（ａ）および（ｂ）は熱伝導部材を光学ハウジングに取り付けたときの状態を示す断面図である。
【符号の説明】
１０：前処理部、                    ２０：制御部、
３０：ランプ駆動回路、              ４０：カラーホイール駆動部、
５０：ＤＭＤ、                      ６０：光源、
７０：インテグレーター、            ８０：カラーホイール、
１１０：光学エンジンハウジング、  １３０：コンデンサレンズ、
１４０、１４１：反射鏡、          １５０：投影レンズ、
１６０：反射光、                  １７０：照射領域、
１８０：貫通孔、                  １９０：弾性部材、
２００：光誘導部材、              ２５０：冷却ファン、
３００：熱伝導部材、              ３４０：光吸収層
【図１】
2004212727.tif 000003
【図２】
2004212727.tif 000004
【図３】
2004212727.tif 000005
【図４】
2004212727.tif 000006
【図５】
2004212727.tif 000007
【図６】
2004212727.tif 000008